(57)【要約】      （修正有）【課題】手部に対して確実にかつ快適に装着できる筆記具保持具及び保持具付き筆記具を提供する。【解決手段】筆記具を使用者の手の平側に保持する筆記具保持具が、筆記具周面上に取付け可能な筆記具固定部１１と、使用者の手部に対して巻き付け可能な手部装着部１４と、筆記具固定部と手部装着部の基端部とを連結するエラストマーからなる弾性連結部１２とを具備し、手部装着部を使用者の手部に装着した際、基端部１４ａが手の平側に位置すると共に、基端部から延びる帯状部が手の平側から手の甲側へと折り返されさらに手の平側へと折り返され、かつ帯状部の縁に丸みを設けた。また、同様の保持具を一体化させた筆記具である。【選択図】図１
0003105975.tif 000002
【実用新案登録請求の範囲】
【請求項１】
筆記具を使用者の手の平側に保持するための筆記具保持具において、
前記筆記具の柱状本体の周面上に取付け可能な筆記具固定部と、
使用者の手部に対して巻き付け可能な手部装着部と、
前記筆記具固定部と、前記手部装着部の基端部とを連結するエラストマーからなる弾性連結部とを具備し、
前記手部装着部の形状が、使用者の手部に装着された際、前記基端部が手の平側に位置すると共に該基端部から延びる帯状部が手の平側から手の甲側へと折り返されさらに手の平側へと折り返される形状であり、かつ該帯状部の縁に丸みを設けたことを特徴とする
筆記具保持具。
【請求項２】
筆記具を使用者の手の平側に保持するための保持具を具備する筆記具において、前記保持具が、
使用者の手部に対して巻き付け可能な手部装着部と、
前記筆記具の柱状本体の周面上と、前記手部装着部の基端部とを連結するエラストマーからなる弾性連結部とを具備し、
前記手部装着部の形状が、使用者の手部に装着された際、前記基端部が手の平側に位置すると共に該基端部から延びる帯状部が手の平側から手の甲側へと折り返されさらに手の平側へと折り返される形状であり、かつ該帯状部の縁に丸みを設けたことを特徴とする
保持具付き筆記具。
【請求項３】
前記筆記具の長さが、前記手部装着部を使用者の手部に装着しかつ該筆記具を把持しないとき、前記筆記具の先端が手部より外側に位置する長さであることを特徴とする請求項２に記載の保持具付き筆記具。
【考案の詳細な説明】
【技術分野】
【０００１】
本考案は、筆記具を把持しない状態にて当該筆記具を手の平側に保持するための筆記具保持具、あるいは斯かる保持具を一体化させた保持具付き筆記具に関する。
【背景技術】
【０００２】
従来、特許文献１等に開示された筆記具保持具が知られている。当該公報開示の筆記具保持具は、筆記具を挿入固定するための円筒金具と、使用者の手部に巻き付ける線状の板ばねとをつる巻きばねで連結した形態である。斯かる筆記具保持具を使用することにより、使用者は、筆記具による筆記作業と、電卓や算盤等の筆記以外の作業とを繰り返し行う場合に、一々筆記具を机上に置いたり取り上げたりする必要がなく、筆記具を保持したまま効率よく作業することができる。
【０００３】
すなわち、円筒金具に筆記具を挿入固定しかつ線状板ばねを手部に巻き付けた状態で、筆記具を把持するとつる巻きばねが伸びた状態となり、筆記作業を行うことができる。一方、電卓や算盤等を使用する際には、筆記具を離すとつる巻きばねが収縮して筆記具が手の平側で指の付け根のラインに沿った位置に保持される。従って、筆記具の後部を小指で軽く握ると、親指と人差し指を自在にかつ鋭敏に動かすことができ、支障なく電卓等を操作できる。
【特許文献１】特開昭５８−３８４８８号公報
【考案の開示】
【考案が解決しようとする課題】
【０００４】
しかしながら、上記の筆記具保持具では、筆記具を固定する円筒金具と、手部に巻き付ける板ばねとをつる巻きばねで連結していたため、つる巻きばねが繰り返し使用に対して耐久性が不足し、弾性復帰力が短期間で失われてしまうことがしばしば発生した。
【０００５】
また、手部に巻き付ける板ばねは、手の平側から手の甲側へ折り返され、手の甲の中央までの長さしかなかったため、安定に装着することができなかった。
【０００６】
さらに、手部に巻き付ける板ばねが手部を締め付けると血行不良となり、また、板ばねの縁が皮膚に当たって痛む等の不具合があった。
【０００７】
またさらに、使用する毎に筆記具に装着することが煩雑なこともあり、筆記具と保持具が一体化されていると便利な場合もある。
【０００８】
その他に、筆記具を把持しないとき、すなわち筆記具が指の付け根のラインに沿った状態で、筆記具の先端が手の平に当たる位置にあると、手の平が汚れるという不都合があった。
【０００９】
本考案は、上記の問題点に鑑み、筆記具保持具において、筆記具の使用時と非使用時に伸縮を繰り返しても連結部の弾性復帰力が失われない耐久性のある筆記具保持具を提供することを目的とする。さらに、手部に対して筆記具保持具を安定かつ確実に装着できることを目的とする。
【００１０】
またさらに、筆記具と保持具とを一体化した保持具付き筆記具を提供することを目的とする。
【課題を解決するための手段】
【００１１】
上記課題を解決すべく、本考案は以下の構成を提供する。
（１）請求項１に係る考案は、筆記具を使用者の手の平側に保持するための筆記具保持具において、
前記筆記具の柱状本体の周面上に取付け可能な筆記具固定部と、
使用者の手部に対して巻き付け可能な手部装着部と、
前記筆記具固定部と、前記手部装着部の基端部とを連結するエラストマーからなる弾性連結部とを具備し、
前記手部装着部の形状が、使用者の手部に装着された際、前記基端部が手の平側に位置すると共に該基端部から延びる帯状部が手の平側から手の甲側へと折り返されさらに手の平側へと折り返される形状であり、かつ該帯状部の縁に丸みを設けたことを特徴とする。
【００１２】
（２）請求項２に係る考案は、筆記具を使用者の手の平側に保持するための保持具を具備する筆記具において、前記保持具が、
使用者の手部に対して巻き付け可能な手部装着部と、
前記筆記具の柱状本体の周面上と、前記手部装着部の基端部とを連結するエラストマーからなる弾性連結部とを具備し、
前記手部装着部の形状が、使用者の手部に装着された際、前記基端部が手の平側に位置すると共に該基端部から延びる帯状部が手の平側から手の甲側へと折り返されさらに手の平側へと折り返される形状であり、かつ該帯状部の縁に丸みを設けたことを特徴とする。
【００１３】
（３）請求項３に係る考案は、請求項２において、前記筆記具の長さが、前記手部装着部を使用者の手部に装着しかつ該筆記具を把持しないとき、前記筆記具の先端が手部より外側に位置する長さであることを特徴とする。
【考案の効果】
【００１４】
請求項１に係る筆記具保持具は、筆記具の柱状本体の周面上に取り付け可能な筆記具固定部と、手部に巻き付け可能な手部装着部の基端部とを連結する連結部をエラストマーで形成したことから、連結部が自在に伸縮すると共に、伸縮を繰り返しても弾性復帰力を長期間維持することができる。これにより、耐久性が確保される。また、手部装着部が帯状部を具備し、手の平側から手の甲側へと折り返されさらに手の平側へと折り返されて終端することから、手部装着部は手部を少なくとも一周するように装着される。従って、手部に対して常に安定かつ確実に装着された状態を維持できる。つまり、筆記具の非使用時に確実に保持できることに加え、使用時にも安定性が増して筆記具を自由に操作できるようになる。また、手部装着部の帯状部の縁に丸みを設けたことにより、手部を締め付けたり、痛みを生じたりすることが解消された。これにより、筆記具の使用時も非使用時も快適に作業することができる。
【００１５】
請求項２に係る保持具付き筆記具は、筆記具の柱状本体の周面上と、手部に巻き付け可能な手部装着部の基端部とを連結する連結部をエラストマーで形成したことから、連結部が自在に伸縮すると共に、伸縮を繰り返しても弾性復帰力を長期間維持することができる。これにより、耐久性が確保される。また、手部装着部が帯状部を具備し、手の平側から手の甲側へと折り返されさらに手の平側へと折り返されて終端することから、手部装着部は手部を少なくとも一周するように装着される。従って、手部に対して常に安定かつ確実に装着された状態を維持できる。つまり、筆記具の非使用時に確実に保持できることに加え、使用時にも安定性が増して筆記具を自由に操作できるようになる。また、手部装着部の帯状部の縁に丸みを設けたことにより、手部を締め付けたり、痛みを生じたりすることが解消された。これにより、筆記具の使用時も非使用時も快適に作業することができる。
【００１６】
請求項３に係る保持具付き筆記具は、請求項２の効果に加えて、筆記具を長くして手部より外側に筆記具先端が位置するようにしたことから、筆記具を把持しないとき筆記具先端が手の平を汚すことが解消された。このことに加え、筆記具が長くなったことで筆記する際の姿勢が自然に保たれ、書き易くもなる。
【考案を実施するための最良の形態】
【００１７】
以下、実施例を示した図面を参照しつつ本考案の実施の形態を説明する。
図１（ａ）は、請求項１に係る本考案の一実施例の筆記具保持具１０を筆記具３０に取り付けた状態を示す斜視図であり、図１（ｂ）は、筆記具保持具１０の部分断面図である。
【００１８】
図１（ａ）に示す通り、筆記具保持具１０は、柱状本体を有する一般的な筆記具であれば、基本的にいずれの種類の筆記具（鉛筆、ノック式筆記具、油性ペン、水性ペン等）にも取り付けることができる。但し、使用者の手部に手の平側に保持するものであるから、適宜な長さであることが好ましい。筆記具保持具１０は、筆記具３０の柱状本体の周面上に取り付け可能な筆記具固定部１１と、使用者の手部に対して巻き付け可能な手部装着部１４とを具備し、筆記具固定部１１と手部装着部１４の基端部１４ａとの間は、弾性材であるエラストマーからなる弾性連結部１２により連結されている。
【００１９】
筆記具固定部１１は、筆記具柱状本体の断面が円形でも多角形でも挿入可能な可撓性と、筆記具柱状本体の周面上の任意の箇所で滑り動くことなく固定可能な適度な弾性を具備する材料であることが好適である。例えば、熱可塑性エラストマー及び合成ゴムを含むエラストマーからなる管部材である。あるいは、特定の筆記具柱状本体の断面形状に適合する断面形状をもちかつ滑り動くことなく固定可能な金属製の管部材でもよい。
【００２０】
手部装着部１４は、基端部１４ａを除いて帯状に延びる部材からなる。手部装着部１４の帯状部は、基端部１４ａに続き使用者の手の平に沿う第１帯状部１４ｂ、手の平側から手の甲側へ折り返される第１折返し部１４ｃ、手の甲に沿う第２帯状部１４ｄ、手の甲側から手の平側へ折り返される第２折返し部１４ｅ、及び終端部を含み手の平に沿う第３帯状部１４ｆからなる。このように、本考案の筆記具保持具１０の手部装着部１４は、使用者の手部に対して少なくとも一周巻き付けられる帯状部を具備する。これにより、安定かつ確実に装着される。
【００２１】
図１（ｂ）の手部装着部１４の帯状部の断面に示される通り、帯状部は平板状でありかつその縁に丸みＲを設けている。少なくとも、使用者の手部の皮膚に当たる側の縁には丸みＲを設けることが必須である。これにより、使用者の手部に巻き付けたとき、皮膚を傷付けたり痛みを生じさせたりすることがない。
【００２２】
手部装着部１４は、金属製またはアクリル樹脂等のエンプラ熱可塑性樹脂で形成することができ、図１（ａ）のような帯状部を周回させた形状とすることにより全体として弾性が付与されるので、使用者の手部を締め付けることなく装着することができる。
【００２３】
図２（ａ）は、図１（ａ）に示した筆記具保持具１０の側面図、図２（ｂ）は同平面図、図２（ｃ）は図２（ａ）のＡ−Ａ断面図である。図２（ａ）及び（ｂ）の手部装着部１４に破線で示す芯材１５は、手部装着部１４の一実施例を示している。例えば、芯材１５を変形自在の金属製とし、その周囲を柔軟なポリエチレンやポリ塩化ビニル等の汎用熱可塑性樹脂で被覆することにより手部装着部１４の帯状部を形成してもよい。
【００２４】
図２（ｂ）及び（ｃ）に示す通り、筆記具固定部１１と手部装着部１４の間を連結する弾性連結部１２は、両者の間に適宜の長さの架橋部１２ａが位置する。そして、架橋部１２ａの一端である連結基部１２ｃは、筆記具固定部１１の管壁を貫通し、脱落しないように拡大させた端部を具備する。さらに、架橋部１２ａの他端である連結頭部１２ｂは、手部装着部１４の基端部１４ａを貫通し、脱落しないように拡大させた端部を具備する。弾性連結部１２の長さ及び太さは適宜設定する。図示の弾性連結部１２の取り付け手段は一例であり、これに限定されない。弾性連結部１２は、熱可塑性エラストマー及び合成ゴムを含むエラストマーから形成することが好適である。例えば、ウレタンエラストマー、ポリエステルエラストマー、ＮＢＲ、クロロプレンゴム等がある。エラストマーからなる弾性連結部１２は、変形自在であると共に繰り返し伸縮させても耐久性がある。
【００２５】
図３は、本考案の筆記具保持具１０を取り付けた筆記具３０を用いて筆記を行っている状態を示す外観斜視図である。手部装着部１４の帯状部が、使用者の手部４０に巻き付けられ、手の甲４０ａを端から端まで横切っている。ここで図５（ａ）を参照する。図５（ａ）は、図３に示す筆記中の筆記具３０と筆記具保持具１０の位置関係を示す概略的な斜視図である。弾性連結部１２が矢印Ｓで示すように伸びて変形することにより、使用者は、手部で把持している筆記具３０の角度を自在に変えて筆記することができる。
【００２６】
図４は、本考案の筆記具保持具１０を取り付けた筆記具３０を離した（すなわち、把持しない）状態を示す外観図である。筆記具３０は、各指の付け根のラインに平行に沿った位置にある。ここで、ここで図５（ｂ）を参照する。図５（ｂ）は、図４に示す筆記具３０を離した状態における筆記具３０と筆記具保持具１０の位置関係を示す概略的な斜視図である。このとき、弾性連結部１２は、本来の形状に復帰している。再び図４を参照すると、この状態のとき、筆記具３０の先端が、手部４０より外側に位置することが好適である。このような長さの筆記具３０を選択すれば、筆記具３０の先端で手の平を汚すことがない。
【００２７】
図６（ａ）は、本考案の筆記具保持具１０の別の実施例を示す側面図であり、図６（ｂ）は同平面図である。本実施例では、弾性連結部１２を２本のエラストマー部材から構成している。筆記具固定部１１と手部装着部１４とを２本の架橋部で連結することにより、さらに変形し易くなるため、筆記具をより自在に操作することが可能となる。
【００２８】
図７（ａ）は、請求項２及び３に係る本考案の一実施例の保持具付き筆記具３１の外観斜視図であり、図７（ｂ）は、図７（ａ）のＢ−Ｂ断面図である。本実施例では筆記具３１がノック式筆記具の場合を示している。ノック式筆記具３１の周面上３１ａの適宜箇所に対して保持具が一体的に設けられている。この保持具は、使用者の手部に対して巻き付け可能な手部装着部１４と、筆記具３１の柱状本体の周面３１ａ上と、手部装着部１４の基端部１４ａとを連結するエラストマーからなる弾性連結部１２とを具備する。そして、手部装着部１４を使用者の手部に装着した際、基端部１４ａが手の平側に位置すると共に、基端部１４ａから延びる帯状部が手の平側から手の甲側へと折り返されさらに手の平側へと折り返され、かつ帯状部の縁に丸みが設けられている。すなわち、図１〜図６の実施例とは、筆記具固定具１１がなく筆記具３１と保持具が一体化していることを除き、その他の点では同じ構成である。
【００２９】
図７（ｂ）のＢ−Ｂ断面図に示すように、ノック式筆記具３１の柱状本体の周面３１ａと手部装着部１４の間を連結する弾性連結部１２は、両者の間に適宜の長さの架橋部１２ａが位置する。そして、架橋部１２ａの一端である連結基部１２ｃは、柱状本体の管壁を貫通し、脱落しないように拡大させた端部を具備する。さらに、架橋部１２ａの他端である連結頭部１２ｂは、手部装着部１４の基端部１４ａを貫通し、脱落しないように拡大させた端部を具備する。弾性連結部１２の長さ及び太さは適宜設定する。図示の弾性連結部１２の取り付け手段は一例であり、これに限定されない。弾性連結部１２は、熱可塑性エラストマー及び合成ゴムを含むエラストマーから形成することが好適である。例えば、ウレタンエラストマー、ポリエステルエラストマー、ＮＢＲ、クロロプレンゴム等がある。エラストマーからなる弾性連結部１２は、変形自在であると共に繰り返し伸縮させても耐久性がある。
【００３０】
図７の形態において、図２で説明したように、芯材とその被覆樹脂からなる手部装着部１４としてもよい。また、図４で説明したと同様に、筆記具３１の先端が手部４０より外側に位置するように、筆記具３１の長さを設定することが好適である。このような長さの筆記具３１を選択すれば、筆記具３１の先端で手の平を汚すことがない。
【図面の簡単な説明】
【００３１】
【図１】（ａ）は、請求項１に係る本考案の一実施例の筆記具保持具を筆記具に取り付けた状態を示す斜視図であり、（ｂ）は、筆記具保持具の部分断面図である。
【図２】（ａ）は、図１（ａ）に示した筆記具保持具の側面図、（ｂ）は同平面図、（ｃ）は（ａ）のＡ−Ａ断面図である。
【図３】本考案の筆記具保持具を取り付けた筆記具を用いて筆記を行っている状態を示す外観斜視図である。
【図４】本考案の筆記具保持具を取り付けた筆記具を離した（すなわち、把持しない）状態を示す外観図である。
【図５】（ａ）は、図３に示す筆記中の筆記具と筆記具保持具の位置関係を示す概略的な斜視図である。（ｂ）は、図４に示す筆記具を離した状態における筆記具と筆記具保持具の位置関係を示す概略的な斜視図である。
【図６】（ａ）は本考案の筆記具保持具の別の実施例を示す側面図であり、（ｂ）は同平面図である。
【図７】（ａ）は本考案の一実施例の保持具付き筆記具の外観斜視図であり、（ｂ）は、図７（ａ）のＢ−Ｂ断面図である。
【符号の説明】
【００３２】
１０  筆記具保持器
１１  筆記具固定部
１２  弾性連結部
１２ａ  連結架橋部
１２ｂ  連結頭部
１２ｃ  連結基部
１４  手部装着部
１４ａ  基端部
１４ｂ  第１帯状部
１４ｃ  第１折返し部
１４ｄ  第２帯状部
１４ｅ  第２折返し部
１４ｆ  第３帯状部
１５  芯材
３０  筆記具
３１  ノック式筆記具
４０  手部
４０ａ  手の甲
４０ｂ  手の平
【図１】
0003105975.tif 000003
【図２】
0003105975.tif 000004
【図３】
0003105975.tif 000005
【図４】
0003105975.tif 000006
【図５】
0003105975.tif 000007
【図６】
0003105975.tif 000008
【図７】
0003105975.tif 000009